(57)【要約】      （修正有）【課題】調整装置に中心軸で接続する巻取軸の着脱が容易となる網状ないし面状スクリーンの巻取軸の脱着装置を提供する。【解決手段】巻取軸１１は、スクリーンを巻き取る巻取筒１１ａと巻き取る弾力を与えるコイルスプリング２１を有し、収納枠の上端にはコイルスプリング２１の強さを調整する調整装置１２が装備されている。調整装置１２の中心には巻取軸１１を支持する軸支孔４５が形成され、巻取軸１１には、巻取筒１１ａに対して中心軸１９を脱着可能に上下可能になすとともに上方へ付勢され、その中心軸１９の上端に調整装置１２とクラッチ面３９，４０どうしで噛み合う可動接続片３３が取り付けられ、可動接続片３３のクラッチ面３９の中央には、調整装置１２の軸支孔４５に突入する端末軸４１が突設され、巻取軸１１の下端には、収納枠の下端の連結ブロック１５の軸孔に支持される下端軸２９が突設されている。【選択図】図２
2007224681.tif 000002
【特許請求の範囲】
【請求項１】
枠組体の一の枠がスクリーンの収納枠であって、収納枠にはスクリーンの巻取軸が内装され、その巻取軸は、スクリーンを巻き取る巻取筒と、その回転の中心軸との間にコイルスプリングが介在され、コイルスプリングの弾力に抗する中心軸に対する巻取筒の回転によりスクリーンが引き出され且つ弾力に伴う逆回転により巻き取られるようになしてあって、収納枠の上端には、巻取筒と中心軸との間におけるコイルスプリングの強さの調整を常時停止の中心軸の回転によりなす調整装置が装備され、調整装置の中心には巻取軸を支持する軸支孔が形成され、巻取軸については、巻取筒に対して中心軸を脱着可能に上下可能になすとともに上方へ付勢してあって、その中心軸の上端に調整装置とクラッチ面どうしで噛み合う可動接続片が取り付けられ、可動接続片のクラッチ面の中央には、調整装置の軸支孔に突入する端末軸が突設され、巻取軸の下端には、収納枠の下端の連結ブロックの軸孔に支持される下端軸が突設されていることを特徴とする網状ないし面状スクリーンの巻取軸の脱着装置。
【発明の詳細な説明】
【技術分野】
【０００１】
この発明は、防虫網や映写幕、遮蔽幕などの網状ないし面状スクリーンの巻取軸の脱着装置に関する。
【背景技術】
【０００２】
防虫網や映写幕、遮蔽幕は、一般的に軸に巻き取って仕舞われ、巻き戻して（引き出して）張ることにより使用される。その手段として、スクリーンを張る枠組体の一端に巻取軸の収納枠が枠組みの一枠として設けられ、スクリーンの引き出し側の端に把手フレームが取り付けられ、それが枠組体に移動可能に内装される。また、巻き取りが自動的になされるようにするとともに、把手フレームを引くことによりスクリーンを張りに保持する必要から、収納枠においては、スクリーンの巻取筒とそれが回転する中心軸との間にコイルスプリングが介在される巻取軸が内装される。
【０００３】
図９は、防虫網が張られる網窓について本出願人に係る従来例（特許文献１）を示したもので、網窓の枠組体Ｆの一端に収納枠８２を有し、その中に中心軸８４と巻取筒８６との間にコイルスプリング９１が介在されてなる巻取軸８０が内装され、巻取筒８６には、上中下の軸承ブロック８８，８９，９０が嵌着され、上部軸承ブロック８８と中間軸承ブロック８９との間において、中心軸８４にコイルスプリング９１が装着され、それが、上端では中心軸８４に留め金９２により固定され、下端では中間軸承ブロック８９に固定される。
【０００４】
防虫網９３は、把手フレーム９４でコイルスプリング９１の弾力に抗して引き出されるため、この際にコイルスプリング９１に蓄積された弾力（弾性エネルギー）により回転する巻取筒８６に防虫網９３が巻き取られる。コイルスプリング９１の効き方が弱いと巻取りが中途で止まったり、防虫網９３の閉じの状態に緩みが生じたりする不都合があり、また、コイルスプリング９１の効き方が強すぎると、防虫網９３が完全に閉じられなかったり、巻き取られる引っ込みが危ういまでに急速になるため、コイルスプリング９１の効き方を弱めたり強めたりする調整装置９６が収納枠８２の上端に設けられていた。
【０００５】
その調整装置９６については、中心軸８４と接続する中央歯車と、そのラチェットに掛かる爪付きのレバーとを設け、その他に中央歯車と噛み合う小径の駆動用副歯車（中央歯車の回転に倍力を得るためのもの）と、レバーを付勢するピンばね等からなるもので、コイルスプリングの力を強めるときには中央歯車をその方向に回転し、弱めるときにはレバーの解除で中央歯車を適度なまで逆回転させるという構造になっていた。
【特許文献１】特願２００５−０４６９５０
【発明の開示】
【発明が解決しようとする課題】
【０００６】
上記のような従来の網状ないし面状スクリーンの巻取り装置によれば、主に収納枠８２内の掃除や修理等のために、巻取軸８０を脱着する必要から、上端では中心軸８４の上端が−に平たく形成され、中央歯車の下部軸３にはそれが差し込まれる−穴が形成されて双方が接続されるようになっていた。また、巻取筒８６の下端の軸承ブロック９０には、上下可能に下端軸９２を下に付勢して（図示省略）設け、下端の連結ブロック９４にはそれが落ち込む軸穴９６が設けられていた。これによると、巻取軸８０を装着するときには、下端軸９２を一旦持ち上げながら、中央歯車に中心軸を接続するとともに、下端軸９２を軸穴９６に落とし込む操作となり、逆に、取り外すときにも下端軸９２を持ち上げる必要があり、これでは両手による上下両端操作となるため、巻取軸の取付け取外しが容易ではなかった。
【０００７】
この発明は、上記のような実情から、調整装置に中心軸で接続する巻取軸の着脱が容易となる網状ないし面状スクリーンの巻取軸の脱着装置を提供することを課題とした。
【課題を解決するための手段】
【０００８】
上記の課題を解決するために、この発明は、枠組体の一の枠がスクリーンの収納枠であって、収納枠にはスクリーンの巻取軸が内装され、その巻取軸は、スクリーンを巻き取る巻取筒と、その回転の中心軸との間にコイルスプリングが介在され、コイルスプリングの弾力に抗する中心軸に対する巻取筒の回転によりスクリーンが引き出され且つ弾力に伴う逆回転により巻き取られるようになしてあって、収納枠の上端には、巻取筒と中心軸との間におけるコイルスプリングの強さの調整を常時停止の中心軸の回転によりなす調整装置が装備され、調整装置の中心には巻取軸を支持する軸支孔が形成され、巻取軸については、巻取筒に対して中心軸を脱着可能に上下可能になすとともに上方へ付勢してあって、その中心軸の上端に調整装置とクラッチ面どうしで噛み合う可動接続片が取り付けられ、可動接続片のクラッチ面の中央には、調整装置の軸支孔に突入する端末軸が突設され、巻取軸の下端には、収納枠の下端の連結ブロックの軸孔に支持される下端軸が突設されていることを特徴とする網状ないし面状スクリーンの巻取軸の脱着装置を提供する。
【０００９】
網状ないし面状スクリーンの巻取軸の脱着装置を上記のように構成したから、スクリーンを引き出すと、巻取軸において巻取筒が回転することにより中心軸との間のコイルスプリングに弾力が蓄積され、スクリーンを放すと、その蓄積弾力により巻取筒が逆回転してスクリーンが巻き取られる。
【００１０】
巻取軸を取り外すときには、それに持ち上げる力を加えると、可動接続片が付勢力に抗して引っ込むことにより巻取軸が持ち上がって、下部軸が連結ブロックの軸孔から抜けるから、下端を外してから調整装置とのクラッチ接続を簡単に外すことができ、こうして、巻取軸の取外しが完了する。また、取り付けるときには、丁度逆の操作となり、調整装置にクラッチ接続した状態で巻取軸を一旦持ち上げながら、下部軸を軸孔に落としこむことによって取付けが完了する。
【発明の効果】
【００１１】
以上説明したように、この発明によれば、中心軸のクラッチ接続のために調整装置により防虫網などのスクリーンを適度に張り得ることはもちろん、調整装置とのクラッチ接続の状態において、巻取軸を一旦持ち上げることにより、下部軸を軸孔から抜き出したり落とし込んだりして、巻取軸の着脱を容易になし得るという優れた効果がある。
【発明を実施するための最良の形態】
【００１２】
図面は、この発明を網戸ないし網窓に実施した形態を示したものであるが、映写幕や遮蔽幕などについても同様に実施することができる。
【００１３】
図１は、網窓のほゞ全体を示す一部切欠した正面図であって、その枠組体Ｆは、一端に縦枠として蓋５付きの収納枠１を有し、それに上下枠２，３が連結され、他端に縦枠４を有する。また、防虫網９の端に把手フレーム７が取り付けられ、それが上下枠２，３の双方に移動可能に係合される。さらに、収納枠１には、防虫網９の巻取軸１１が内装され、それが上端では調整装置１２に、下端では下部連結ブロック１５にそれぞれ軸支される。なお、上枠２と下枠３に対する収納枠１の連結は、調整装置１２を構成する後記部材と、連結ブロック１５によりそれぞれなされている。
【００１４】
図２は、巻取軸１１の断面構造を示し、その上端が調整装置１２の中央歯車１７との接続状態で示される。また、図３では断絶状態で示されるが、この図は必ずしも脱着操作中途の状態を示すものではない。
【００１５】
巻取軸１１は、上下枠２，３の間の寸法よりもやゝ長い巻取筒１１ａと、中心軸１９と、コイルスプリング２１と、上端昇降軸装置２３と、下部軸受け２５と、下端軸２９付きの下端キャップ３０などから構成される。そして、コイルスプリング２１が、上端では中心軸１９にリベット３２で固定され、下端では下部軸受け２５に嵌着固定されている。したがって、防虫網９が引き出され（巻き戻され）ると、中心軸１９に対する巻取筒１１ａの回転により、コイルスプリング２１に弾力が蓄積され、把手フレーム７を解放すると、その弾力が防虫網９を巻取筒１１ａに巻き取る回転方向に作用させる。したがって、把手フレーム７が磁石２７ａ，２７ｂの吸着で縦枠４に固定されていると、防虫網９が全面に緊張する。これに緩みがあると調整装置１２で修正する。
【００１６】
コイルスプリング２１を効かすには、中心軸１９が巻取筒１１ａの回転に動じないよう少なくとも一方向に回転が阻止されている必要がある。調整装置１２は、下記するように、この中心軸１９の回転阻止およびその解除等に伴うコイルスプリング２１の強弱の調整のために設けられるが、構造は様々となり、下記の実施形態に特に限定されるものではない。
【００１７】
上端昇降軸装置２３は、中央歯車１７とでクラッチを構成するもので、巻取筒１１ａの上端に嵌着される凹形の上端キャップ３１と、その凹部に落とし込まれる可動接続片３３と、落とし込みに抗するように働くコイルばね３５とから構成され、可動接続片３３は、中心軸１９の上端に嵌着されそれにリベット３７で固定される。また、コイルばね３５は、上端キャップ３１の中において中心軸１９に挿入され、上端で可動接続片３３を中心軸１９と共に上方に付勢し得るように受けている。可動接続片３３は、上端面が噛合いクラッチ面３９に形成され、その中心には端末軸４１が突設され、端末軸４１の上端にドライバー溝４３が形成される。一方、調整装置１２の中央歯車１７の下面中心には下部軸３８を突設し、その下端に前記クラッチ面３９と噛み合うクラッチ面４０が形成される。なお、端末軸４１は中心軸１９と一体素材で形成することもできる。
【００１８】
巻取軸１１を取り外すときには、まず、それを持ち上げる。そうすると、コイルばね３５の弾力に抗して可動接続片３３が上端キャップ３１に引っ込んでそれに応じるから、巻取軸１１の持ち上げにより下端軸２９を下部連結ブロック１５から引き抜くことができ、取り付けるときには丁度逆の操作となる。したがって、巻取軸１１の上下操作だけでその取付け取外し操作をなしうる。この場合、極簡単な片手操作となるが、図３に示すように、他の手の操作で可動接続片３３を引っ込めて取付け取外し操作をしても良い。
【００１９】
巻取軸１１の上端の端末軸４１は、中央歯車１７の軸支孔４５に挿入されることにより、網窓Ｆの上面に露出しているので、ドライバーを付けることにより中央歯車１７と共に中心軸１９を回転することができ、後記するように、この操作でコイルスプリング２１を強に調整することができる。なお、４７はワンウエイクラッチ、４８がロータリダンパであって、コイルスプリング２１により巻取筒１１ａが巻きに回転する速度が制御される。
【００２０】
調整装置１２は、収納枠１の上端にそれぞれビス止めされるプラスチック製の基盤４９と、それを封じる金属製の上面プレート５１との間に装備され、それぞれに連結片４９ａ，５１ａが突設されることにより、収納枠１が上枠２に連結される。なお、下部の連結片４９ａには、防虫網９が通るスリット５３が形成されている。図４は、上面プレート５１を省いて基盤４９の内部に装備される調整装置１２の構造を示したもので、それが前記した中央歯車１７の他に、駆動用としての小径の副歯車５０、揺動レバー５６、コイルばねとしての圧縮ばね５２が装備される。同図では、分かりやすくするために、中央歯車１７の一部が切欠される。
【００２１】
基盤４９は、図５および図６に示すように、周囲にほゞ収納枠１の断面に近い周壁５５を突設するとともに、前面において周壁５５の半部（上枠２側）を開放し、その開放口５７の奥部には前方に開口する圧縮ばね５２の収納室６１が形成され、前面閉塞壁の内側部分に揺動レバー５６の回動軸６２が突設される。また、中央には中央歯車１７の軸支孔６３が、開放口５７近くには副歯車５０の軸支孔６４がそれぞれ形成される。６５は収納枠１に固定するビスの通し孔である。また、上面プレート５１にも中央歯車１７の軸支孔６３ａと、副歯車５０の軸支孔６４ａとが形成される。６６ａは収納枠１にビス止めするための通し皿孔である。
【００２２】
中央歯車１７は、大歯車１７ａの下にラチェット歯車１７ｂが形成された複合歯車であって（図２ないし図４）、下部軸３８に対応して上部軸６９を有し、中心に巻取軸１１を支持する軸支孔４５が形成され、下部軸３８の下面にクラッチ面４０が形成される。また、揺動レバー５６は、回動軸６２を中心に屈折する「く」の字形であって、先端にラチェット７１の迎え角側に係る爪７３が形成され、基端に開放口５７に露出する押しボタン７５が突設され、その後面を圧縮ばね５２が押しているので、押しボタン７５を押すと（図８）、先端の爪７３がラチェット７１から外れるために、中央歯車１７の停止が解除される。この時適度の位置で押しを解除すると、コイルスプリング２１が適度に弱に調整される。
【００２３】
つまり、このときに巻取筒１１ａを固定しておけば、コイルスプリング２１の弾力による中心軸１９の回転（消極回転）でコイルスプリング２１に蓄積されている弾力が緩和されるので、適当な時点で押しボタン７５を放して中心軸１９の回転を止めると、これでコイルスプリング２１が弱に調整される。また、ドライバーにより中央歯車１７を回転して、中心軸１９をコイルスプリング２１の弾力に抗して回転（積極回転）すると、この場合、回転を止めた時点で揺動レバー５６の爪７３が中央歯車１７のラチェット７１に掛かって中心軸１９が固定されるから、コイルスプリング２１が強に調整される。また、副歯車５０の軸の上部軸７７にもドライバー溝７９が形成されているので、副歯車５０を回転すれば歯車の倍力機構で軽く中央歯車１７を回転することができる。
【図面の簡単な説明】
【００２４】
【図１】この発明に係る網窓を示す一部切欠した正面図である。
【図２】同網窓における巻取軸を調整装置の中央歯車との接続状態で示す縦断面図である。
【図３】同中央歯車との断絶状態で示す巻取軸の上端部縦断面図である。
【図４】同網窓における調整装置を一部切欠して示す平面図である。
【図５】同調整装置の基盤を示す平面図である。
【図６】図５のＡ−Ａ線矢視の断面図である。
【図７】調整装置の上部プレートを示す平面図である。
【図８】調整装置の動作状態を示す一部断面した平面説明図である。
【図９】従来例の説明図である。
【符号の説明】
【００２５】
Ｆ  枠組体
１  収納枠
９  スクリーンとしての防虫網
１１  巻取軸
１１ａ  巻取筒
１２  調整装置
１５  連結ブロック
１９  中心軸
２１  コイルスプリング
２９  下端軸
３３  可動接続片
３９，４０  クラッチ面
４１  端末軸
【図１】
2007224681.tif 000003
【図２】
2007224681.tif 000004
【図３】
2007224681.tif 000005
【図４】
2007224681.tif 000006
【図５】
2007224681.tif 000007
【図６】
2007224681.tif 000008
【図７】
2007224681.tif 000009
【図８】
2007224681.tif 000010
【図９】
2007224681.tif 000011